(57)【特許請求の範囲】
【請求項１】
ベッド構造体（１）と、該ベッド構造体に装着された脚（３、４）とを具備する、揺りかご機能を備えた幼児用ベッドにおいて、
該ベッドが、該ベッドの長手方向において見たときに互いに正反対において前記ベッド構造体（１）に取り付けられた二つの脚（３、４）を有し、各脚（３、４）が、各脚（３、４）の自由端部において、弾性材料から作られた横に突出する要素（９、１０、１１、１２）を有し、該突出する弾性要素（９、１０、１１、１２）が、前記脚の下部が床から離れて位置するように、前記脚から前記床へ斜め下方に突出するように構成されることを特徴とする、幼児用ベッド。
【請求項２】
前記各脚（３、４）が、自由突出部が前記各脚の両側においてほぼ等しい量で横に突き出るように、細長いスプリング要素（７、８）の中央（１３、１４）において、該細長いスプリング要素（７、８）に連結されることを特徴とする、請求項１に記載のベッド。
【請求項３】
前記各脚（３、４）が、該各脚の両側において等しい量で且つ床に向かって所定の角度で突き出るように構成された二つの細長いスプリング要素に連結されることを特徴とする、請求項１又は２に記載のベッド。
【請求項４】
前記細長いスプリング要素がストリップ材料から製造されることを特徴とする、請求項２又は３に記載のベッド。
【請求項５】
前記細長いスプリング要素がワイヤ材料から製造されることを特徴とする、請求項２又は３に記載のベッド。
【請求項６】
前記細長いスプリング要素が鋼から製造されることを特徴とする、請求項２〜５のいずれか１項に記載のベッド。
【請求項７】
前記細長いスプリング要素がスプリング鋼から製造されることを特徴とする、請求項２〜６のいずれか１項に記載のベッド。
【請求項８】
前記細長いスプリング要素が、弾性特性を有する材料から製造されることを特徴とする、請求項２〜５のいずれか１項に記載のベッド。
【発明の詳細な説明】
【技術分野】
【０００１】
本発明は、ベッド構造体と、ベッド構造体に連結された脚とを具備する、揺りかご機能を備えた幼児用ベッドに関する。
【背景技術】
【０００２】
従来の揺りかごは、通常、長手方向の揺り子（rocker）又は横方向の揺り子を備えて組み立てられる。この場合、揺りかごは、予め定められた方向／進路において揺れ動かされることができる。市場に存在する別の種類の揺りかごは、コードで、例えば天井におけるフックに吊されたバスケットである。この種類の揺りかごは、３６０°の定められた進路において揺り動かされることができる。
【０００３】
幼児を寝かしつけるために乳母車に幼児を置いて限界（threshold）を超えて乳母車を前後に押すことを強いられる親、車に乗るときにのみ眠りに落ちる子供達、さらには脱水洗濯機に横たわって眠りに落ちる子供達について話されることが多い。子供達が何故これら環境において深い眠りに落ちる傾向にあるかについての我々の研究では、乳母車、車、又は脱水洗濯機によって生成される運動がいくつかの次元における確率運動（stochastic movement）を描き、いくつかの次元における確率運動が、子供が眠りに落ちることにプラスに影響すると思われるという結論が導かれた。
【０００４】
ベッドの脚と床との間におけるヘリカルコイルの使用が以前から試験されてきており、斯かる設備は、子供のベッドの揺りかご機能を達成するために、付属品として用いられることができるようである。ヘリカルコイルを用いた様々な試験では、我々が最大のベース（base）として選択したベースを用いても良好な結果が全く得られなかった。このとき、揺りかごは非常にガタガタ揺れて作動した。子供が喜ぶ運動を得るためには、柔らかいスプリングが装着される非常に長い突出棒が必要とされるが、この場合、製品は、大きくなるので、家の中で移動せしめられることができず、また、製品が立つ部屋の中において厄介な障害物になるであろう。
【発明の概要】
【発明が解決しようとする課題】
【０００５】
したがって、本発明の目的は、揺りかご機能を備えた幼児用ベッドを提供することであり、本ベッドは、調和性（harmonic character）を有する三次元の確率運動、すなわち（過度に速く又はガタガタ揺れることが、子供が眠りに落ちることにマイナスに影響するので、）速すぎず又はガタガタ揺れすぎない三次元の確率運動を引き起こし、これによって、子供を寝かしつけるために、夜に車を乗り回すこと、限界を超えて乳母車を前後に押すこと、又は他の同様の必死の行為についての親の苦労を軽減するものである。従来技術にしたがって構築された従来の揺りかごとは対照的に、本発明の目的は、眠りに落ちるための既に公知の効果的な方法、例えば、車に乗ること、限界を超えて乳母車を押すこと等を模倣することである。
【課題を解決するための手段】
【０００６】
これら目的及び他の目的は、請求項１において定義されるような発明を用いて実現される。本発明の改良及び好ましい実施形態は、下位の請求項において定義される。
【０００７】
脚から反対向きの両方向に延在する、細長いスプリング要素を使用することによって、非常に有利なスプリング特性がこの製品について得られる。圧力下のスプリング要素の運動は波形として描かれることができ、このことは揺りかごにとって最適でもある。長さ、厚み、幅、及び所定の付勢を適合することによって、三次元における調和運動が得られ、このことは、子供が眠りに落ちることにプラスに影響する。子供自身が動くと、ベッドが動き始める。このことによって、子供自身が、本発明に係るスプリング要素を使用することによって、眠るためにベッド自体を揺れ動かすことができるようになる。また、現行の（ひっくり返りについての）製品基準を満たすべく十分安定であり、且つ、限定された幅をなおも有するベースも実現することができ、このことによって、家の中のあちこちで幼児用ベッドを容易に移動させることができる。
【０００８】
材料を適切に選択することで、スプリング要素を十分に短く作ることができるので、ベッドは、問題なく扉口を通して移動せしめられることができ、邪魔になって立つことがないが、ひっくり返ることのリスクを最小にする大きさをなおも有し、現行の安全規定が満たされる。上記されてきたように、このことは、コイルスプリングを使用するときには不可能である。
【０００９】
本発明に係るスプリング要素を用いた更なる一つのプラス効果は、スプリング要素の端部が床に近接して横たわり、このことによって、突出する脚において、つま先又は足を傷つけるリスクが低減されることである。
【００１０】
提案された設計を用いて、スプリング要素が、足（支持構造体の一部）を部分的に構築し、これと同時にスプリング要素を構築するので、非常に簡単な構造が得られる。このことによって、安価且つ好都合な設計及び生産が可能となる。取り外し可能なスプリング要素を設計することによって、ベッドを含むパッケージの大きさを発送時に容易に減少させることができる。
【００１１】
「細長いスプリング要素」とは、広い意味において解釈されるべきである。本記述において、脚から反対向きの両方向において外側に延在する二つのスプリング要素だけでなく、ワイヤ又はロッドがループ状の形状に曲げられた構造体であって、ループが反対向きの両方向において脚から外側に延在するように構成され、曲げられたバンド（band）が弾性材料から作られる、構造体も含まれる。
【００１２】
本発明の変形によれば、細長いスプリング要素は、一つの一体要素から成り、その中央部において各脚に取り付けられ、且つ、脚の両側において、突出部が床に向かって下方へ脚から所定の角度で伸びるような態様で曲げられ、このことによって、脚の下端部が床よりも上方に離れて位置し且つ前記スプリング効果が実現されるであろう。
【００１３】
代替的な変形によれば、二つの細長いスプリング要素が、各脚において使用され、且つ、床に向かって下方へ脚から所定の角度で外側に延在するような態様で構成される。これによって、真っ直ぐな細長いスプリング要素を取り付けるとき、正しい角度位置を与えるために、脚の下端部に角度を付けることができる。代替的に、各スプリング要素は、脚の真っ直ぐな下縁に取り付けられるために、所望の角度で配設されるべく所望の角度で曲げられ又は湾曲することができる。
【図面の簡単な説明】
【００１４】
【図１】図１は、本発明の一つの実施形態に係る幼児用ベッドの斜視図を示す。
【図２】図２は、本発明の代替実施形態の図を示し、図１における図と対応する。
【図３】図３は、本発明に係る幼児用ベッドの部分端面図を示す。
【発明を実施するための形態】
【００１５】
添付の図面を参照すると、本発明の更なる目的、特徴、及び利点が以下の本発明の詳細な説明から明らかであるだろう。
以下、図において示される本発明の実施形態を参照して、本発明がより詳細に記述される。
【００１６】
図１では、リム１、ベッド底部２、脚３、４から成るフレームの形態の、本発明に係る幼児用ベッドが示され、脚３、４はベッドの長手方向において見たときに互いに正反対において固定手段５、６を介してリム１に連結される。幼児が横たわるであろうベッドの構造体が本発明の一部を構成しないことに留意すべきである。脚は幅方向において所定の長さを有し、このことは以下に更に記述される。図に示される実施形態の下部において、各脚は、細長いスプリング要素７、８の形態の足を有し、細長いスプリング要素７、８は各脚の両側においてほぼ等しい長さで突出するように配置される。前記細長いスプリング要素は、各脚３、４に取り付けられる細長いスプリング要素それぞれの中央部分１３、１４が、細長いスプリング要素のそれぞれの端部９、１０及び１１、１２が床に載るとき、前記床から離れるように湾曲して設計される。
【００１７】
細長いスプリング要素７、８は各脚３、４の下側に取り付けられる。脚が幅方向において長さを有するので、前記要素は脚に安定して取り付けられることができる。この点に関して、ベッドが脇に置かれ又は運ばれる場合に、細長いスプリング要素が容易に取り外されるように、細長いスプリング要素を脚にネジ留めすることができる。このことは保管中及び販売中においても有利である。なぜならば、この場合、ベッドを平らなパッケージとして梱包して配送することができるからである。
【００１８】
好ましくは、前記細長いスプリング要素は、図１及び図２においてそれぞれ示されるような例えば一様なストリップ材料又は曲げられたワイヤ材料の形態の、弾性特性を有するスプリング鋼又は硬質プラスチップ材料のような弾性材料から成る。
【００１９】
この脚構造を用いて、可撓性があり且つ軽い構造体が得られ、この構造体は足の設計のおかげで非常に安定であり、これと同時に、足の設計は所望の揺りかご運動を与える。揺りかご運動は、細長いスプリング要素についての、材料、寸法、及び曲げ角度又は湾曲角度の選択によって影響される。高い弾性係数（E module）を有する材料を選択することによって、足を薄く作ることができ、このことによって、揺りかごの周りで移動する人がこれら足にぶつかって傷つき又は倒れるリスクが低下する。
【００２０】
材料の特性を変えることによって、足の長さを最適化することができる。足が長ければ長いほど、揺りかごがひっくり返るリスクは低下するであろう。一方、長い足を有すると揺りかごは扱いにくくなり、例えば扉口を通してベッドを移動させることが困難であるだろう。更に、足もより邪魔になるであろう。足の全長を例えば約６００ｍｍにすることができ、このことは、ひっくり返ることに対して高い安全性を与えつつ、これと同時に、大きな問題なく扉口を通して揺りかごを持ち上げることができるようにする。
【００２１】
当業者は、適切な特性を有する材料を選択することができる。この材料を例えばスプリング鋼又は代替的に硬質プラスチップ材料にすることができ、スプリング鋼又は硬質プラスチップ材料は、例えば、ガラス繊維及び／又は炭素繊維、曲げ木のような木材、並びにこれらの均等物で強化されることができる。使用される材料は、荷重が掛けられるときにあらゆる永久歪みを生じさせてはならない。
【００２２】
図では、本発明の現在のところ好ましい実施形態が示される。したがって、ベッドの足を形成する細長いスプリング要素は各脚において一つの一体要素として示される。脚に取り付けられるべき部分も形成する、中央に位置する部分がスプリングによる仕事に寄与しないので、一方の端部において脚に取り付けられ、同時に、他方の端部が、床と接触する足である、二つのスプリング要素が一つの要素の代わりに使用される場合と同一の効果が得られる。この場合、すね部（shank）の所望の傾斜を有するほぼＶ字として、脚の下縁を設計することによって角度調整を実現することができる。代替的に、スプリング要素は、脚の真っ直ぐな下縁に取り付けられるときに所望の角度位置を得るように曲げられることができる。
【００２３】
ベッドの脚におけるスプリング要素の取付けを種々の態様で構成することができる。したがって、スプリング要素は、例えば、スナップ留め具、ロックネジ、及びこれらの均等物を用いて、脚に座位するブラケットにおける簡単な作業において取り外し可能に構成されることができる。
【００２４】
また、「曲げ要素」の用語が、明確な曲がり箇所を有しない湾曲要素も具備することが強調されるべきである。スプリング要素がベッドから離れるように脚から湾曲し、スプリング要素の端部に向かう湾曲が逆向きの湾曲に変えられ、逆向きの湾曲が別の曲率半径を有しうるような態様で、スプリング要素が二回曲げられることも考えられる。最後に言及されたこの変形例では、床との接触面がより大きくなり、床へのよりなだらかな移行（gentle transition）も生じるので、床の損傷のリスクが最小化される。
【図１】
0005519691.tif 000002
【図２】
0005519691.tif 000003
【図３】
0005519691.tif 000004